(57)【要約】【課題】持ち上げられると、可動ユニットのロックが実行されるシート収容装置を提供する。【解決手段】シート収容装置５０は、載置箇所である床面ＹＭに載置される。可動ユニットであるカセット１１は、シート収容装置５０に対してシートを装填するために紙面と垂直な方向に移動可能である。規制手段であるスライドピン８０は、シート収容装置５０の床面ＹＭからの離間動作に伴って下降する。これにより、スライドピン８０がカセット１１に係合して、カセット１１の移動を規制し、可動ユニットであるカセット１１のロックが実行される。【選択図】図４
2018016413.tif 000002
【特許請求の範囲】
【請求項１】
載置箇所に載置される筐体と、
前記筐体に対してシートを装填するために移動可能な可動ユニットと、
前記筐体の載置箇所からの離間動作に伴って前記可動ユニットの移動を規制する規制手段と、を備えることを特徴とするシート収容装置。
【請求項２】
前記規制手段は、前記筐体が載置箇所に載置される動作に伴って前記規制を解除することを特徴とする請求項１に記載のシート収容装置。
【請求項３】
前記規制手段は、前記筐体の載置箇所からの離間動作及び載置箇所への載置動作に連動して、前記筐体に対して相対移動し、前記規制及び規制の解除を行う相対移動部材を有することを特徴とする請求項２に記載のシート収容装置。
【請求項４】
前記相対移動部材は、載置箇所に当接して前記筐体に対する相対移動を行うことを特徴とする請求項３に記載のシート収容装置。
【請求項５】
前記可動ユニットは、切り欠きを設けられて前記移動の方向に沿ったリブを有し、
前記相対移動部材は、前記切り欠きに係合して前記移動を規制する係合部を有することを特徴とする請求項３又は４に記載のシート収容装置。
【請求項６】
前記載置箇所は、前記筐体が載置される別の筐体であって、
前記相対移動部材は、前記別の筐体に設けられて前記筐体に挿入されるピン部材に押圧されることにより前記筐体に対して相対移動することを特徴とする請求項３乃至５のいずれか１項に記載のシート収容装置。
【請求項７】
前記別の筐体の上面に対する前記ピン部材の突出長さは、前記筐体の下面に対する前記相対移動部材の突出長さよりも大きいことを特徴とする請求項６に記載のシート収容装置。
【請求項８】
請求項１乃至７のいずれか１項に記載のシート収容装置と、
シートに画像を形成する画像形成部と、を備え、
前記シート収容装置から給送されたシートに画像を形成することを特徴とする画像形成装置。
【発明の詳細な説明】
【技術分野】
【０００１】
本発明は、シートを装填するために移動可能な可動ユニットを有するシート収容装置に関する。
【背景技術】
【０００２】
画像形成装置は、シートを装填するカセット等の移動可能な可動ユニットを有するシート収容装置を備えている。
【０００３】
シート収容装置は、可動ユニットの引出方向の移動を規制するために、筐体にロック機構を設け、ロック機構を解除しないと可動ユニットを筐体から引き出せないようにしている（特許文献１）。
【０００４】
しかし、特許文献１のロック機構は、作業者がロック機構を直接操作しないと、ロック機構のロック及び解除がされない。そこで、特許文献２では、筐体を持ち上げる際に作業者が手指を進入させる凹所に、作業者の手指に接触してロック機構をロック又は解除させる移動部材を設けている。
【０００５】
これにより、特許文献２のロック機構は、移動部材に手を掛けて筐体を持ち上げる動作に伴って筐体と可動ユニットのロックが実行され、移動部材から手を離す動作に伴って筐体と可動ユニットのロックが解除される。
【先行技術文献】
【特許文献】
【０００６】
【特許文献１】特開２００３−３２５２５３号公報
【特許文献２】特開２００９−２２２７７１号公報
【発明の概要】
【発明が解決しようとする課題】
【０００７】
特許文献２のロック機構は、移動部材が配置された凹所を用いて作業者がシート収容装置を持ち上げない場合、ロック機構が機能しない。移動部材が配置された凹所以外の場所を持って作業者がシート収容装置を持ち上げた場合、シート収容装置から可動ユニットが無抵抗に引き出されてしまう。
【０００８】
本発明は、持ち上げられると、可動ユニットのロックが実行されるシート収容装置を提供することを目的としている。
【課題を解決するための手段】
【０００９】
本発明のシート収容装置は、載置箇所に載置される筐体と、前記筐体に対してシートを装填するために移動可能な可動ユニットと、前記筐体の載置箇所からの離間動作に伴って前記可動ユニットの移動を規制する規制手段と、を備えるものである。
【発明の効果】
【００１０】
本発明によれば、持ち上げられると、可動ユニットのロックが実行されるシート収容装置を提供することができる。
【図面の簡単な説明】
【００１１】
【図１】画像形成装置としてのマルチファンクションプリンタの構成の説明図である。
【図２】実施の形態１におけるシート収容装置の説明図である。
【図３】シート収容装置に引き出し移動可能に配置されるカセットの構成の説明図である。
【図４】実施の形態１のロック機構の断面図である。（ａ）は非ロック状態、（ｂ）はロック状態である。
【図５】スライドピンの移動の説明図である。（ａ）は非ロック状態、（ｂ）はロック状態である。
【図６】シート収容装置の一例としてのオプションユニットの構成の説明図である。
【図７】実施の形態２のロック機構の断面図である。（ａ）は非ロック状態、（ｂ）はロック状態である。
【図８】スライドピンの移動の説明図である。（ａ）は非ロック状態、（ｂ）はロック状態である。
【発明を実施するための形態】
【００１２】
以下、図面を参照して本発明の実施の形態を詳細に説明する。
【００１３】
＜実施の形態１＞
実施の形態１では、図５の（ｂ）に示すように、本体筐体の底面に突出したスライドピン８０により、カセット１１の引出方向の移動を規制する。
【００１４】
（画像形成装置）
図１は画像形成装置としてのマルチファンクションプリンタ（プリンタ）の構成の説明図である。図１に示すように、シート収容装置５０を有するプリンタ１００は、シート搬送方向の上流側である下方からシート搬送方向の下流側である上方に向かってシート給送部１０、画像形成部２０、定着装置３０、シート排出部４０が順に配置されている。このため、プリンタ１００は、いわゆる縦搬送タイプである。
【００１５】
シート給送部１０は、可動ユニットとしてのカセット１１に装填されて積載されたシートＰ１を１枚ずつ分離して画像形成部２０へ給送する。画像形成部２０は、感光ドラム２１に形成したトナー像をシートＰ１に転写する。定着装置３０は、トナー像を転写されたシートを加熱・加圧してシートに画像を定着させる。シート排出部４０は、定着装置３０により画像が定着されたシートを排出トレイ４２へ排出する。
【００１６】
シート検知センサＳ１は、カセット１１にシートＰ１が収納されているか否かを検知する。カセット１１及び手差シートレイ１６は、画像形成に用いるシートＰ１が積載される。ピックアップローラ１２は、カセット１１に積載されたシートＰ１に当接して回転することにより、カセット１１からシートＰ１を引き出して分離ローラ１３へ送り出す。
【００１７】
分離ローラ１３は、正転ローラと反転ローラとを当接させて分離ニップを形成している。分離ローラ１３は、シートＰ１に重なって引き出された重送シートを分離してカセット１１へ押し戻すことにより、最上位のシートＰ１のみを給送ローラ１４へ送り出す。給送ローラ１４は、給送パスＰＳ１のシートＰ１をレジストローラ１５へ搬送する。レジ前センサＳ２は、シートＰ１の先端がレジストローラ１５のニップに到達するタイミングを検知する。レジストローラ１５は、回転を停止したニップ部でシートＰ１の先端を受け止めてシートＰ１の斜行を矯正する。レジストローラ１５は、所定のタイミングで回転を開始して、斜行を矯正されたシートＰ１を画像形成部２０へ搬送する。
【００１８】
手差シートレイ１６に積載されたシートＰは、供給ローラ１７と分離パッド１８のニップ部で重送シートを分離されて、給送パスＰＳ１へ送り出される。
【００１９】
（画像形成部）
画像形成部２０は、感光ドラム２１の周囲に帯電ローラ２２、露光装置２３、現像装置２４、転写ローラ２５、ドラムクリーニング装置２６を配置している。画像形成部２０は、シートに画像を形成する。カセット１１は、シートを収容して画像形成部２０へ給送する。
【００２０】
帯電ローラ２２は、帯電電圧を印加されて感光ドラム２１の表面を均一に帯電させる。露光装置２３は、画像情報に対応したレーザ光を感光ドラム２１の周面に走査する。露光装置２３が出力するレーザ光は、外部から送信された画像情報に基づいて制御される。感光ドラム２１のレーザ光が照射された部分には、画像情報に対応して、帯電されていた電荷が除去された静電潜像が形成される。
【００２１】
現像装置２４は、現像ローラ２４ａに現像剤（トナー）を担持して感光ドラム２１に現像剤を供給する。感光ドラム２１の静電潜像は、トナーが付着することで、トナー像に現像される。転写ローラ２５は、感光ドラム２１に当接して転写ニップ部Ｎ１を形成する。転写ローラ２５は、トナーの帯電極性とは反対極性の転写電圧を印加されて、感光ドラム２１のトナー像をシートＰ１へ転写する。上述したように、レジストローラ１５は、感光ドラム２１上のトナー像が転写ニップ部Ｎ１へ搬送されるタイミングに合わせてシートＰ１を転写ニップ部Ｎ１へ搬送する。
【００２２】
定着ローラ３１は、内部に配置されたハロゲンランプ等の熱源により所定の定着温度に加熱されるアルミローラ等で構成される。加圧ローラ３２は、定着ローラ３１に接触して所定の圧力で定着ローラ３１を加圧する。トナー像が転写されたシートＰ１は、定着装置３０へ搬送される。定着センサＳ３は、シートＰ１の先端が定着ニップ部Ｎ２を抜けたことを検知する。
【００２３】
定着装置３０は、トナー像が転写されたシートＰ１を、定着ローラ３１と加圧ローラ３２とが当接する定着ニップ部Ｎ２で挟持搬送して、トナー像を溶融固化させることにより、シートＰ１に画像を定着させる。定着装置３０で画像が定着されたシートＰ１は、シート排出部４０へ搬送される。排出ローラ４１は、画像が定着されたシートＰ１を排出トレイ４２へ排出する。
【００２４】
なお、実施の形態１における定着装置３０は、定着ローラ３１で加熱する加熱ローラ方式である。しかし、定着装置３０は、セラミックヒータ等の熱源を、無端ベルトを介して加圧ローラ３２が加圧することで定着ニップ部Ｎ２を形成するいわゆるオンデマンド定着方式等を用いてもよい。
【００２５】
（両面印刷）
図１中、画像形成部２０、定着装置３０の左側には、裏面印刷を行うためのシート再給送部が設けられている。シートＰ１の両面に画像を形成する場合、制御部１１０は、１面目に画像形成されたシートＰ１の先端が定着センサＳ３を抜けた後、シートＰ１の後端が排出ローラ４１を抜ける前に排出ローラ４１を一旦停止させる。制御部１１０は、さらに排出ローラ４１を逆回転させることで、シートＰ１を反転させてシート再給送部へ搬送する。
【００２６】
シート再給送部へ搬送されたシートＰ１は、再給送ローラ対５１、５２によって再給送パスＰＳ２を搬送され、再給送ローラ対５３によってレジストローラ１５へ搬送される。シートＰ１は、レジストローラ１５によって斜行が矯正された後、転写ニップ部Ｎ１に搬送され、シートＰ１の２面目にトナー像が形成される。
【００２７】
その後は、１面目と同様に、定着ニップ部Ｎ２を搬送されてトナー像がシートＰ１の２面目にも定着される。このようにして、両面に画像が形成されたシートＰ１は、排出ローラ４１によって排出トレイ４２へ排出される。
【００２８】
（カセット）
図２は実施の形態１におけるシート収容装置の説明図である。図３はシート収容装置に引き出し移動可能に配置されるカセットの構成の説明図である。図２に示すように、プリンタ１００は、凹所１１ｈに手を掛けて、手動操作により、カセット１１をシート収容装置５０から正面側へ滑らかに引き出し可能である。引出ユニットの一例であるカセット１１は、シート収容装置５０に対して収納及び引出移動が可能である。収容したシートを含むカセット１１の重量は、カセット１１の側面に固定されたレール１１ｅの下面に当接するようにシート収容装置５０に設けられた不図示のローラによって支持されている。
【００２９】
図２に示すように、シート収容装置５０の四隅に指掛部８５、８６が形成されている。凹所の一例である指掛部８５、８６は、プリンタ１００とシート収容装置の一例としてのオプションユニット６００との間に手指を進入可能である。指掛部８５、８６は、プリンタ１００を持ち上げる際に手指が挿入される凹所である。後述するロック機構９０は、指掛部８５、８６を避けて配置されている。
【００３０】
図３は、隠れた部分を図示するために、可動ユニットとしてのカセット１１の正面パネル１１ｄを取り除いて図示している。図３に示すように、カセット１１は、シート収容装置５０から矢印Ｒ１方向に引き出され、矢印Ｒ２方向に挿入して収納される。シートが載置される載置板１１ａは、カセット１１内で回動可能であって、シート先端側が不図示のばねを介して斜めに持ち上げられている。後端規制板１１ｂは、載置板１１ａに載置されたシートの後端を規制する。係合部１１ｃは、カセット１１の引き出しに伴ってシート収容装置５０に係合してカセット１１の引き出しを限界付ける。
【００３１】
ところで、図２に示すように、プリンタ１００において、プリンタ１００を持ち上げて運搬する際に、シート収容装置５０から正面側へカセット１１が滑り出すと、シート収容装置５０の重心が正面側へ移動してシート収容装置５０が傾いてしまう。シート収容装置５０が正面側へ傾くと、カセット１１がさらに引き出されて、シート収容装置５０の重心がさらに正面側へ移動する。このとき、カセット１１に収容されているシートがカセット１１から溢れ出る可能性がある。プリンタ１００が正面側へ倒れる可能性がある。
【００３２】
そこで、実施の形態１では、図３に示すロック機構９０を設けて、プリンタ１００を持ち上げると直ちにカセット１１の滑り出しを規制できるようにした。
【００３３】
（ロック機構）
図４は実施の形態１のロック機構の断面図である。図５はスライドピンの移動の説明図である。図４、図５中、（ａ）は非ロック状態、（ｂ）はロック状態である。
【００３４】
図３に示すように、シート収容装置５０の内部のカセット１１のレール１１ｅに隣接する位置にロック機構９０が設けられている。図５の（ｂ）に示すように、ロック機構９０は、圧縮コイルバネ８１に付勢されたスライドピン８０が、カセット１１のレール１１ｅの切り欠き１１ｆに係合して、カセット１１の引出方向（矢印Ｒ１方向）の移動をロックする。このため、プリンタ１００を持ち上げた状態では、カセット１１がロックされて正面側へ滑り出さない。
【００３５】
図４の（ａ）に示すように、筐体の一例であるシート収容装置５０は、載置箇所の一例である床面ＹＭに載置される。シート収容装置５０の底面にゴム足８４が固定され、シート収容装置５０は床面ＹＭへ載置可能である。規制手段の一例であるスライドピン８０は、シート収容装置５０が床面ＹＭに載置された状態ではカセット１１の引出移動の規制を解除している。スライドピン８０は、床面ＹＭにシート収容装置５０が載置される動作に伴ってカセット１１の引出移動の規制を解除する。
【００３６】
図４の（ｂ）に示すように、相対移動部材の一例であるスライドピン８０は、シート収容装置５０に収納されたカセット１１の引出移動をシート収容装置５０が床面ＹＭから離間する移動に伴って規制する。スライドピン８０は、床面ＹＭに対するシート収容装置５０の非載置状態ではカセット１１の引出移動を規制している。
【００３７】
図４の（ａ）に示すように、スライドピン収容部材８２は、シート収容装置５０に対してスライドピン８０を高さ方向へ移動可能に保持する。圧縮コイルバネ８１は、スライドピン８０をシート収容装置５０の底面方向、すなわちロック方向に付勢している。図５の（ａ）に示すように、スライドピン８０は、カセット１１のレール１１ｅを移動可能に保持する切り欠き８０ａを形成されている。
【００３８】
スライドピン規制部材８３は、スライドピン収容部材８２に固定されて、スライドピン８０の被案内部８０ｂの輪郭を上下移動可能に拘束する。スライドピン規制部材８３は、突き当たり部の一例である被案内部８０ｂに摺擦して、スライドピン８０の高さ方向の移動を限界付ける。そして、スライドピン８０が高さ方向に直交する面内で回動することを規制し、スライドピン８０がスライドピン収容部材８２から外れないようにする。
【００３９】
図４の（ａ）に示すように、シート収容装置５０が床面ＹＭに載置された状態では、スライドピン８０の下端が圧縮コイルバネ８１の付勢力に抗して床面ＹＭに押し上げられている。このとき、図５の（ａ）に示すように、カセット１１のレール１１ｅは、スライドピン８０の切り欠き８０ａを矢印Ｒ１方向へ自在に通過できる。このため、スライドピン８０は、カセット１１の引き出しを規制しない。カセット１１は、引出移動の方向に沿ったリブの一例であるレール１１ｅを有する。レール１１ｅは、切り欠き１１ｆを設けられている。
【００４０】
図４の（ｂ）に示すように、プリンタ１００が床面ＹＭから持ち上げられた状態では、圧縮コイルバネ８１の付勢力によりスライドピン８０が床面ＹＭへ向かって一定量飛び出す。ばね部材の一例である圧縮コイルバネ８１は、切り欠き８０ａを切り欠き１１ｆに係合させるようにスライドピン８０を付勢する。このとき、図５の（ｂ）に示すように、スライドピン８０の切り欠き８０ａでない部分がカセット１１のレール１１ｅの切り欠き１１ｆに引っ掛かる。これにより、カセット１１が運搬者の意図に反して正面側へ滑り出すことが規制される。係合部の一例である切り欠き８０ａは、切り欠き１１ｆに係合して引出移動を規制する。
【００４１】
図２に示すように、ロック機構９０は、プリンタ１００を持ち上げる際に指掛部８５、８６に挿入した手指が接触しないように、指掛部８５、８６から平面的に離れた位置に取り付けられている。凹所の一例である指掛部８５、８６は、シート収容装置５０とオプションユニット６００との間に手指を進入可能である。ロック機構９０は、指掛部８５、８６を避けて配置されているため、指掛部８５、８６に限らず、どこに手を掛けてプリンタ１００を持ち上げてもロック機構９０が機能してカセット１１の滑り出しがロックされる。
【００４２】
（実施の形態１の効果）
実施の形態１では、プリンタ１００が床面ＹＭから離間する離間動作に伴ってカセット１１がロックされる。プリンタ１００が持ち上げられた際にスライドピン８０が底面から一定量突出することにより、スライドピン８０の切り欠き８０ａがカセット１１のレール１１ｅの切り欠き１１ｆに係合してカセット１１がロックされる。このため、プリンタ１００が持ち上げられた際にカセット１１が正面側へ滑り出すことがない。
【００４３】
実施の形態１では、スライドピン８０を、シート収容装置５０の底面から飛び出す方向へ付勢する圧縮コイルバネ８１を備えている。このため、プリンタ１００が持ち上げられると、確実にスライドピン８０が底面から一定量突出してカセット１１がロックされる。
【００４４】
実施の形態１では、スライドピン８０は、プリンタ１００が載置箇所に載置される載置動作に伴ってカセット１１のロックを解除する。このため、プリンタ１００を床面ＹＭもしくは別のシート収容装置の上に降ろすと、ロック解除の操作を要することなく直ちにカセット１１を引き出すことができる。
【００４５】
実施の形態１では、スライドピン８０は、床面ＹＭに直接に当接してシート収容装置５０に対する相対移動を行う。このため、床面ＹＭを検出する機構は不要となり、ロック機構９０を小型軽量に構成できる。
【００４６】
実施の形態１では、被案内部８０ｂの端面は、シート収容装置５０の下面からスライドピン８０が所定量突出するようにスライドピン８０のシート収容装置５０に対する相対移動を限界付ける。このため、プリンタ１００を持ち上げて移動しているときに、スライドピン８０がオプションユニット誘導ピン７０等に衝突しにくい。
【００４７】
実施の形態１では、スライドピン８０のシート収容装置５０の下面から突出する部分は、下方へ向かって縮径する円錐面である。このため、プリンタ１００を持ち上げて移動しているときにスライドピン８０がオプションユニット誘導ピン７０等に衝突しても、スライドピン８０が退避して衝撃が少ない。実施の形態１では、カセット１１の両端にロック機構９０を設けているため、一方のスライドピン８０が瞬間的に押し上げられても他方のスライドピン８０がロック状態を継続してカセット１１の滑り出しを阻止する。
【００４８】
＜実施の形態２＞
実施の形態１では、スライドピン８０の先端が床面ＹＭに当接することでシート収容装置５０のロックが解除されていた。しかし、図２に示すように、シート収容装置の一例としてのオプションユニット６００の上にシート収容装置５０が配置されている場合、オプションユニット６００の上面に切欠きがある、凹所がある等の理由で、天井板が床面ＹＭの役割を果たせない場合がある。また、オプションユニット６００とシート収容装置５０との連結が不十分な場合、両者間のシート搬送に問題が発生するので、両者が確実に連結された時点でシート収容装置５０のロックが解除されることが望ましい。そこで、実施の形態２では、オプションユニット６００とシート収容装置５０との連結を担うオプションユニット誘導ピン７０を検知してシート収容装置５０のロックを解除している。
【００４９】
（オプションユニット）
図６はシート収容装置の一例としてのオプションユニットの構成の説明図である。図６は、隠れた部分を図示するために、カセット１１及びオプションユニット６００の正面パネルを取り除いて図示している。図１に示すように、カセット１１を有するシート収容装置５０は、オプションユニット６００の上に載置されている。オプションユニット６００は、内部に収容したオプションカセット６１からシートＰ２を供給して、シート収容装置５０の給送ローラ１４へ合流させる。シート検知センサＳ４は、オプションカセット６１にシートＰ２が収納されているか否かを検知する。オプションカセット６１は、シートＰ２を収納する。ピックアップローラ６２は、オプションカセット６１に収納されたシートＰ２に当接して回転することにより、オプションカセット６１からシートＰ２を引き出して分離ローラ６３へ送り出す。
【００５０】
分離ローラ６３は、正転ローラと反転ローラとを当接させて分離ニップを形成している。分離ローラ６３は、シートＰ２に重なって引き出された重送シートを分離してカセット６１へ押し戻すことにより、最上位のシートＰ２のみを給送ローラ６４へ送り出す。
【００５１】
図２に示すように、別の筐体の一例であるオプションユニット６００の上面にシート収容装置５０が載置されている。図６に示すように、オプションユニット６００に固定されたオプションユニット誘導ピン７０がシート収容装置５０のスライドピン収容部材１８２に形成された位置決め穴１８２ａに挿入されている。ピン部材の一例であるオプションユニット誘導ピン７０は、オプションユニット６００に設けられてシート収容装置５０に挿入される。スライドピン１８０は、オプションユニット誘導ピン７０に押圧されることによりシート収容装置５０に対して相対移動する。
【００５２】
（ロック機構）
図７は実施の形態２のロック機構の断面図である。図８はスライドピンの移動の説明図である。図７、図８中、（ａ）は非ロック状態、（ｂ）はロック状態である。
【００５３】
図７の（ａ）に示すように、スライドピン１８０は、カセット１１のレール１１ｅを移動可能に保持する切り欠き１８０ａを形成されている。スライドピン収容部材１８２は、重力によってスライドピン１８０を垂直方向へ移動可能に保持する。規制部１８０ｂは、シート収容装置５０の規制部１８２ｄに当接して、スライドピン１８０の下降位置を規制する。当接部１８０ｄは、スライドピン１８０に固定され、オプションユニット誘導ピン７０の先端に当接して、スライドピン１８０を垂直方向へ移動させる。
【００５４】
図８の（ａ）に示すように、ロック機構１９０は、オプションユニット誘導ピン７０がスライドピン１８０を垂直方向にスライド移動させて、切り欠き１８０ａをカセット１１のレール１１ｅの切り欠き１１ｆに係合させる。
【００５５】
オプションユニット誘導ピン７０は、先端に向かって細く形成されて、スライドピン収容部材１８２の穴１８２ａへの挿入を容易にしている。オプションユニット誘導ピン７０は、太い根本部分でオプションユニット６００とシート収容装置５０との平面位置を位置合わせする。
【００５６】
オプションユニット誘導ピン７０の根元の太い部分の長さは、オプションユニット６００とシート収容装置５０との位置決めを行った後にカセット１１のロックが解除されるように設定してある。これにより、オプションユニット６００とシート収容装置５０の位置合わせが不十分な状態でカセット１１のロックが解除されないようにしている。
【００５７】
図７の（ｂ）に示すように、オプションユニット誘導ピン（７０：図７の（ａ））に当接しない状態で、スライドピン収容部材１８２から底面方向へ突出するスライドピン１８０の突出量は、オプションユニット誘導ピン７０よりも短く設定されている。これにより、シート収容装置５０の底面から飛び出したスライドピン１８０の先端１８０ｃがシート収容装置５０の運搬の妨げにならないようにしている。
【００５８】
（実施の形態２の効果）
実施の形態２では、実施の形態１の内容に加えて、オプションユニット誘導ピン７０がスライドピン８０に接触することによって、スライドピン１８０が高さ方向に移動する。オプションユニット６００上にプリンタ１００が載置された状態から、プリンタ１００を持ち上げたとき、オプションユニット誘導ピン７０がシート収容装置５０から抜ける動作に連動してスライドピン１８０がシート収容装置５０の底面から一定量突出する。このため、床面ＹＭにシート収容装置５０を載置したときに、実施の形態１と同様にカセット１１のロックが解除される。
【００５９】
実施の形態２では、オプションユニット６００の上面に対するオプションユニット誘導ピン７０の突出長さは、シート収容装置５０の下面に対するスライドピン８０の突出長さよりも大きい。すなわち、プリンタ１００が持ち上げられた状態で、スライドピン１８０の突出量は、オプションユニット誘導ピン７０より短く設定されている。このため、シート収容装置５０を移動してオプションユニット誘導ピン７０に位置決める際に、スライドピン１８０がオプションユニット６００に衝突してバランスが崩れる等の弊害が発生しにくい。
【００６０】
実施の形態２では、オプションユニット６００の上にシート収容装置５０が載置されているとき、オプションユニット誘導ピン７０がスライドピン１８０と接触状態にあり、プリンタ１００が持ち上げられると、その接触状態が解消される。このため、シート収容装置５０からオプションユニット誘導ピン７０が抜ける動作と連動して、スライドピン１８０がシート収容装置５０の底面から突出して、スライドピン１８０の切り欠き１８０ａがカセット１１をロックする。
【００６１】
実施の形態２では、スライドピン１８０がオプションユニット誘導ピン７０と連動して動くため、カセット１１のロックが運搬者の意図しないタイミングで実行されることがない。
【００６２】
＜実施の形態３＞
実施の形態２では、動力を使用することなく、シート収容装置５０の移動に連動してカセット１１のロックとロック解除とを実行させた。これに対して、実施の形態３では、動力を用いてカセット１１のロックとロック解除とを実行する。
【００６３】
図１に示すように、オプションユニット６００の底面にオプションユニット浮き上がり検知センサＳ６を設ける。シート収容装置５０の底面にシート収容装置浮き上がり検知センサＳ５を設ける。スライドピン１８０は、ソレノイドによって昇降してカセット１１をロック及びロック解除する。
【００６４】
制御部（１１０：図１）は、シート収容装置浮き上がり検知センサＳ５がシート収容装置５０の浮き上がりを検知したとき、ソレノイドを作動させてカセット１１をロックする。その後、オプションユニット浮き上がり検知センサＳ６が床面ＹＭを検知すると、ソレノイドを作動させてカセット１１のロックを解除する。電気的に制御されるスライドピン１８０により切り欠き１８０ａをカセット１１のレール１１ｅの切り欠き１１ｆに係合させる。
【符号の説明】
【００６５】
１０：シート給送部、１１：カセット、１２：ピックアップローラ、１３：分離ローラ、１５：レジストローラ、２０：画像形成部、２１：感光ドラム、２２：帯電ローラ、２３：露光装置、２４：現像装置、２４ａ：現像ローラ、２５：転写ローラ、３０：定着装置、５０：シート収容装置、７０：オプションユニット誘導ピン、８０，１８０：スライドピン、８０ａ：切り欠き（係合部）、８１：圧縮コイルバネ（ばね部材）、８２：スライドピン収容部材、８３：スライドピン規制部材、８４：ゴム足、８５、８６：指掛部、９０：ロック機構、１００：プリンタ、６００：オプションユニット、Ｓ４：シート検知センサ、Ｓ５：シート収容装置浮き上がり検知センサ、Ｓ６：オプションカセット浮き上がり検知センサ、ＹＭ：床面（載置箇所）
【図１】
2018016413.tif 000003
【図２】
2018016413.tif 000004
【図３】
2018016413.tif 000005
【図４】
2018016413.tif 000006
【図５】
2018016413.tif 000007
【図６】
2018016413.tif 000008
【図７】
2018016413.tif 000009
【図８】
2018016413.tif 000010